(57)【要約】【課題】色再現範囲が調節可能な光源装置を提供する。【解決手段】本発明の光源装置は、励起光及び投射光として用いる色成分の照射光を発生する励起光源１ａと、励起光路Ｘ２に配置されて照射光の照射によりこの照射光の色成分とは異なる色成分の蛍光を生成する蛍光体５と、照射光の照射により生成された蛍光が導かれる蛍光光路Ｘ３と投射光が導かれる投射光路Ｘ１とを合成する光路合成部と、照射光を励起光路Ｘ２と投射光路Ｘ１との間で切り替える光路切り替え盤３とを備え、  光路切り替え盤３は、第１反射透過領域３ａと第２反射透過領域３ｂとを有し、第１反射透過領域３ａは照射光を投射光路Ｘ１に導きかつ残りの照射光を励起光路Ｘ２に導く反射率を有し、第２反射透過領域３ｂは照射光を励起光路Ｘ２に導きかつ残りの照射光を投射光路Ｘ１に導く反射率を有し、第１反射透過領域３ａの反射率と第２反射透過領域３ｂの反射率が互いに異なっている。【選択図】図１
2015111244.tif 000002
【特許請求の範囲】
【請求項１】
励起光として用いられると共に投射光として用いられる色成分の照射光を発生する励起光源と、
励起光路に配置されて前記照射光の照射により該照射光の色成分とは異なる色成分の蛍光を生成する蛍光体と、
前記照射光の照射により生成された蛍光が導かれる蛍光光路と前記照射光が前記投射光として導かれる投射光路とを合成する光路合成部と、
前記照射光を前記励起光路と前記投射光路との間で切り替える光路切り替え部材とを備え、
該光路切り替え部材は、第１反射透過領域と第２反射透過領域とを少なくとも有し、前記第１反射透過領域は前記照射光を前記投射光路に導きかつ残りの照射光を前記励起光路に導く反射率又は透過率を有し、前記第２反射透過領域は前記照射光を前記励起光路に導きかつ残りの照射光を前記投射光路に導く反射率又は透過率を有し、前記第１反射透過領域の反射率と前記第２反射透過領域の反射率又は前記第１反射透過領域の透過率と前記第２反射透過領域の透過率とが互いに異ならされていることを特徴とする光源装置。
【請求項２】
前記光路切り替え部材は光路切り替え盤から構成され、前記蛍光体は回転円盤から構成されていることを特徴とする請求項１に記載の光源装置。
【請求項３】
前記蛍光体に、前記励起光により少なくとも２色の色成分を含む蛍光を発生する蛍光材料が設けられていることを特徴とする請求項２に記載の光源装置。
【請求項４】
前記照射光の色成分は、赤色成分と緑色成分と青色成分とのうちのいずれかであり、前記蛍光体の２色の色成分は、前記照射光の色成分とは異なる残りの赤色成分と緑色成分と青色成分とのうちのいずれかであることを特徴とする請求項３に記載の光源装置。
【請求項５】
前記２色の色成分のうちの一方の色成分を含む蛍光と前記２色の色成分のうちの他方の色成分を含む蛍光と前記２色の色成分を含む蛍光とを定期的に切り替えて前記画像形成部に導く色成分切り替え部材を備えていることを特徴とする請求項３又は請求項４に記載の光源装置。
【請求項６】
前記色成分切り替え部材が前記光路切り替え盤と一体に形成されていることを特徴とする請求項５に記載の光源装置。
【請求項７】
前記励起光源から照射される色成分の照射光とは異なる色の色成分の照射光を発生する照射光源と、前記励起光源からの照射光の投射光路と前記照射光源からの照射光の照射光路との光路を合成する光路合成部材とを備えていることを特徴とする請求項１又は請求項２に記載の光源装置。
【請求項８】
前記蛍光体に前記励起光源から照射される照射光の色成分と前記照射光源の色成分とは異なる色成分の蛍光を発生する蛍光材料が形成されていることを特徴とする請求項７に記載の光源装置。
【請求項９】
前記蛍光体に前記励起光により少なくとも２色の色成分を含む蛍光を発生する蛍光領域と前記２色の色成分を含む蛍光のうちの一色の色成分を含む蛍光領域とが形成されていることを特徴とする請求項１又は請求項２又は請求項７に記載の光源装置。
【請求項１０】
前記励起光源は青色成分のレーザ光を発生する光源であり、前記蛍光体には緑色成分の蛍光と赤色成分の蛍光とを含む黄色成分の蛍光材料が塗布され、前記光路切り替え部材の第１反射透過領域が青色成分の照射光を前記投射光路に導きかつ残りの照射光を前記励起光路に導き、前記光路切り替え部材の前記第２反射透過領域が前記青色成分の照射光を前記励起光路に導きかつ残りの照射光を前記投射光路に導き、青色成分の投射光と赤色成分の投射光と緑色成分の投射光と黄色成分の投射光とが投射可能であることを特徴とする請求項１に記載の光源装置。
【請求項１１】
前記光路切り替え部材の第２反射透過領域が前記青色成分のレーザ光を反射させかつ赤色成分の蛍光を透過させる領域と、前記青色成分のレーザ光を反射させかつ緑色成分の蛍光を透過させる領域と、前記青色成分のレーザ光を反射させかつ黄色成分の蛍光を透過させる領域とに分割されていることを特徴とする請求項１０に記載の光源装置。
【請求項１２】
前記蛍光体に黄色成分の蛍光を発生する蛍光領域と緑色成分の蛍光を発生する蛍光領域とが形成されていることを特徴とする請求項１０に記載の光源装置。
【請求項１３】
前記励起光源は青色成分のレーザ光を発生する光源であり、赤色成分の照射光又は緑色成分の照射光を発生する照射光源が設けられ、前記蛍光体には緑色成分の蛍光又は赤色成分の蛍光を含む蛍光材料が塗布され、前記光路切り替え部材の第１反射透過領域が青色成分の照射光を前記投射光路に導きかつ残りの照射光を前記励起光路に導き、前記光路切り替え部材の前記第２反射透過領域が前記青色成分の照射光を前記励起光路に導きかつ残りの照射光を前記投射光路に導き、青色成分の投射光と赤色成分の投射光と緑色成分の投射光とが投射可能であることを特徴とする請求項１に記載の光源装置。
【請求項１４】
前記蛍光体に黄色成分の蛍光を発生する蛍光領域が更に設けられていることを特徴とする請求項１３に記載の光源装置。
【請求項１５】
前記光路切り替え部材が前記第１反射透過領域と前記第２反射透過領域に加えて、前記第１反射透過領域の残りのレーザ光を透過させる透過率及び前記第２反射透過領域の残りのレーザ光を反射させる反射率を有する第３反射透過領域を有することを特徴とする請求項１０に記載の光源装置。
【請求項１６】
前記励起光の波長が４４０ｎｍから４７０ｎｍの範囲であることを特徴とする請求項１ないし請求項１５のいずれか１項に記載の光源装置。
【請求項１７】
前記光路切り替え部材の第２反射透過領域の反射率Ｒが、０％＜Ｒ≦５％であることを特徴とする請求項２ないし請求項１６のいずれか１項に記載の光源装置。
【請求項１８】
前記光路切り替え部材の第１反射透過領域の透過率Ｔが、０％＜Ｔ≦５％であることを特徴とする請求項２ないし請求項１７のいずれか１項に記載の光源装置。
【請求項１９】
前記光路切り替え部材の第１反射透過領域と第２反射透過領域とのうち反射率が透過率よりも高い反射透過領域によって前記蛍光体への励起光路が形成され、前記反射率が透過率よりも高い反射透過領域に透過防止手段が設けられていることを特徴とする請求項２ないし請求項５のいずれか１項又は請求項７ないし請求項１８のいずれか１項に記載の光源装置。
【請求項２０】
前記透過防止手段が増反射コートを施した金属盤であることを特徴とする請求項１９に記載の光源装置。
【請求項２１】
前記透過防止手段が透過部材に施した墨塗りであり、反対側の面に誘電体多層膜が施されていることを特徴とする請求項１９に記載の光源装置。
【請求項２２】
請求項１ないし請求項２１のいずれか１項に記載の光源装置を有するプロジェクタ。
【発明の詳細な説明】
【技術分野】
【０００１】
本発明は、画像形成素子（画像形成部）に青色成分の光と赤色成分の光と緑色成分の光（異なる色成分の光）を時間的に分割して照射し、画像形成素子によりカラー画像をスクリーンに形成するのに用いられる光源装置及びこれを用いたプロジェクタの改良に関する。
【背景技術】
【０００２】
従来から、画像形成素子に青色成分の光と、赤色成分の光と、緑色成分の光とを時間的に分割して投射し、画像形成素子によりカラー画像をスクリーンに形成するプロジェクタが知られている（例えば、特許文献１参照。）。
【０００３】
その特許文献１に開示のものでは、青色光を発生するレーザ光源と、この青色光により励起されて蛍光を発生する蛍光体と、レーザ光源の光路に対して斜めに配置された回転反射部材（回転ホイール）とを備え、この回転反射部材に光を反射する第１領域と、光を反射しない第２領域とを設けている。
【０００４】
このものによれば、レーザ光源から高エネルギーのレーザ光を照射した場合でも、回転反射部材により光路を切り替えて蛍光体にレーザ光が照射されるので、蛍光体等の光学部品の発熱が抑制される。
【発明の概要】
【発明が解決しようとする課題】
【０００５】
ところで、スクリーンに投射する投射光の色味は、光源の分光特性、蛍光の分光特性により決定され、調節できないというという不都合がある。
特に、青色の光に対する人間の眼の視感度は低いため、青色レーザ光を蛍光体の励起光として用いると共に、スクリーンへの投射光として用いた場合、スクリーンに形成されるカラー画像が暗く見えるという不都合がある。
【０００６】
本発明は、上記の事情に鑑みて為されたもので、その目的は、色再現範囲が調節可能な光源装置及びこれを用いたプロジェクタを提供することにある。
【課題を解決するための手段】
【０００７】
本発明に係る光源装置は、励起光として用いられると共に投射光として用いられる色成分の照射光を発生する励起光源と、
励起光路に配置されて前記照射光の照射により該照射光の色成分とは異なる色成分の蛍光を生成する蛍光体と、
前記照射光の照射により生成された蛍光が導かれる蛍光光路と前記照射光が前記投射光として導かれる投射光路とを合成する光路合成部と、
前記照射光を前記励起光路と前記投射光路との間で切り替える光路切り替え部材とを備えている。
該光路切り替え部材は、第１反射透過領域と第２反射透過領域とを少なくとも有し、前記第１反射透過領域は前記照射光を前記投射光路に導きかつ残りの照射光を前記励起光路に導く反射率又は透過率を有し、前記第２反射透過領域は前記照射光を前記励起光路に導きかつ残りの照射光を前記投射光路に導く反射率又は透過率を有し、前記第１反射透過領域の反射率と前記第２反射透過領域の反射率又は前記第１反射透過領域の透過率と前記第２反射透過領域の透過率とが互いに異ならされている。
【発明の効果】
【０００８】
本発明によれば、光路切り替え部材に第１反射透過領域と第２反射透過領域とを形成し、第１反射透過領域、第２反射透過領域の反射率又は透過率を異ならせ、励起光源からの照明光の透過、反射の光量を異ならせることにより、互いに色成分が異なる照明光と蛍光とを混ぜ合わせることにしたので、色再現範囲を調節できるという効果を奏する。
【図面の簡単な説明】
【０００９】
【図１】図１は本発明のプロジェクタの実施例１に係る光学系の要部構成を示す光学図である。
【図２】図２は図１に示す光路切り替え部材としての光路切り替え盤の平面図である。
【図３】図３は図１に示す色成分切り替え部材としての色成分切り替え盤の平面図である。
【図４】図４は図１に示す光路切り替え盤と色成分切り替え盤とレーザダイオードと蛍光体とによって生成される色成分Ｂ、Ｒ、Ｇ、Ｙの投射光の投射期間と光量との関係を模式的に説明するためのタイミングチャートである。
【図５】図１に示す蛍光体の変形例を示す説明図である。
【図６】図６は本発明のプロジェクタの実施例２に係る光学系の要部構成を示す光学図である。
【図７】図７は図６に示す光路切り替え盤（色成分切り替え盤）を模式的に示す平面図である。
【図８】図８は本発明のプロジェクタの実施例３に係る光学系の要部構成を示す光学図である。
【図９】図９は図８に示す光路切り替え盤を模式的に示す平面図である。
【図１０】図１０は図９に示す光路切り替え盤とレーザダイオードと発光ダイオードと蛍光体とによって生成される色成分Ｂ、Ｒ、Ｇの投射光の投射期間との関係を模式的に説明するためのタイミングチャートである。
【図１１】図１１は実施例３の変形例１に係る光路切り替え盤を模式的に示す平面図である。
【図１２】図１２は実施例３の変形例１に係る光路切り替え盤を用いた場合の光路切り替え盤とレーザダイオードと発光ダイオードと蛍光体とによって生成される色成分Ｂ、Ｒ、Ｇの投射光の投射期間との関係を模式的に説明するためのタイミングチャートである。
【図１３】図１３は実施例３の変形例２に係るプロジェクタの光学系の要部構成を示す光学図である。
【図１４】図１４は図１に示す光学系の色再現範囲の具体例１を説明するための図であって、（Ａ）は色成分Ｒのスクリーン上におけるスペクトルの強度分布を示し、（Ｂ）は色成分Ｇのスクリーン上におけるスペクトルの強度分布を示し、（Ｃ）は色成分Ｙのスクリーン上におけるスペクトルの強度分布を示す。
【図１５】図１５は波長４６５ｎｍのレーザ光を用い、図１に示す光学系のスクリーン上における赤色成分Ｒ、緑色成分Ｇ、青色成分Ｂについての照明効率を３２％、黄色成分Ｙについての照明光率を８０％とした条件のもとで、図１に示す光路切り替え盤の第１反射透過領域の反射率を仮に１００％としかつ第２反射透過領域の透過率を１００％としたときの色再現範囲を説明するための色度図である。
【図１６】図１６は図１５に示す色度図を得たときと同一条件のもとで、図１に示す光路切り替え盤の第１反射透過領域の反射率を９５％、透過率を５％とし、第２反射透過領域の透過率を９５％、反射率を５％としたときの色再現範囲を説明するための色度図である。
【図１７】図１７は図１に示す光学系の色再現範囲の具体例１に対する比較例の色再現範囲の説明図であって、図１６に示す色度図を得たときと同一条件のもとで、図１に示す光路切り替え盤の第１反射透過領域の反射率を９０％、透過率を１０％とし、第２反射透過領域の透過率を９０％、反射率を１０％としたときの色再現範囲を説明するための色度図である。
【図１８】図１８は波長４６５ｎｍのレーザ光を用い、図１に示す光学系のスクリーン上における赤色成分Ｒ、緑色成分Ｇ、青色成分Ｂについての照明効率を３２％、黄色成分Ｙについての照明効率を８０％とした条件のもとで、図１に示す光路切り替え盤の第１反射透過領域の反射率を仮に１００％としかつ第２反射透過領域の透過率を１００％としたときの視感度と、図１に示す光路切り替え盤の第１反射透過領域の反射率を９５％、透過率を５％とし、第２反射透過領域の透過率を９５％、反射率を５％としたときの視感度とを比較して示す図表である。
【図１９】図１９は図１に示す光学系の色再現範囲の具体例２を説明するための図であって、波長３８０ｎｍのレーザ光を用い、図１に示す光学系のスクリーン上における赤色成分Ｒ、緑色成分Ｇ、青色成分Ｂについての照明効率を３２％、黄色成分Ｙについての照明効率を８０％とした条件のもとで、図１に示す光路切り替え盤の第１反射透過領域の反射率を仮に１００％としかつ第２反射透過領域の透過率を１００％としたときの色再現範囲を説明するための色度図である。
【図２０】図２０は図１に示す光学系の色再現範囲の具体例２を説明するための図であって、図１９に示す色度図を得たときと同一条件のもとで、図１に示す光路切り替え盤の第１反射透過領域の反射率を仮に９９.９％としかつ透過率を０.１％として青色成分と緑色成分とを混色させたときの色再現範囲を説明するための色度図である。
【図２１】図２１は図１に示す光学系の色再現範囲の具体例２を説明するための図であって、波長４４０ｎｍのレーザ光を用い、図２０に示す色度図を得たときの照明効率と同一条件の照明光率のもとで、図１に示す光路切り替え盤の第１反射透過領域の反射率を仮に９０％としかつ透過率を１０％として青色成分と緑色成分とを混色させたときの色再現範囲を説明するための色度図である。
【図２２】図２２は図１に示す光学系の色再現範囲の具体例２を説明するための図であって、波長４７０ｎｍのレーザ光を用い、図２０に示す色度図を得たときの照明光率と同一条件の照明効率のもとで、図１に示す光路切り替え盤の第１反射透過領域の反射率を仮に９７％としかつ透過率を３％として青色成分と緑色成分とを混色させたときの色再現範囲の色度図である。
【図２３】図２３は図１に示す光学系のレーザ光の波長に対する色再現範囲の具体例２を説明するための図であって、波長３８０ｎｍのレーザ光を用い、図１９、図２０に示す色度図を得たときの照明光率と同一条件の照明光率のもとで、光路切り替え盤の第１反射透過領域の反射率を９９.８％、透過率を０.２％のとしたときの色再現範囲を説明するための色度図である。
【図２４】図２４は図１に示す光学系のレーザ光の波長の変化に対する色再現範囲の具体例２を説明するための図であって、波長４４０ｎｍのレーザ光を用い、図２３に示す色度図を得たときの照明効率と同一条件の照明効率のもとで、光路切り替え盤の反射率を９１％、透過率を９％としたときの色再現範囲の色度図である。
【図２５】図２５は図１に示す光学系のレーザ光の波長の変化に対する色再現範囲の具体例２を説明するための説明図であって、波長４７０ｎｍのレーザ光を用い、図２４に示す色度図を得たときの照明効率と同一条件の照明効率のもとで、光路切り替え盤の反射率を９８％、透過率を２％としたときの色再現範囲の色度図である。
【図２５Ａ】図２５Ａは具体例３の説明に用いる光学系の説明図である。
【図２６】図２６は図１３に示す光学系を用いて具体例４を説明するための図であって、図１３に示す赤色光のスペクトルの強度分布を示す特性図である。
【図２７】図２７は図１３に示す光学系を用いて具体例４の色再現範囲を説明するための色度図である。
【発明を実施するための形態】
【実施例】
【００１０】
（実施例１）
図１は本発明の実施例１に係る光源装置を有するプロジェクタの光学系の要部構成を示す光学図である。この図１において、符号１は光源部を示す。光源部１は、レーザダイオード（ＬＤ）１ａとカップリングレンズ１ｂと集光レンズ１ｃとから概略構成されている。
【００１１】
レーザダイオード１ａは、駆動回路基板２に複数個設けられている。この各レーザダイオード１ａに対して、それぞれカップリングレンズ１ｂが設けられている。
【００１２】
そのレーザダイオード１ａからのレーザ光は、そのカップリングレンズ１ｂにより集光され、平行光束として集光レンズ１ｃに導かれる。
集光レンズ１ｃは、各カップリングレンズ１ｂにより平行光束とされたレーザ光を集光する役割を果たす。
【００１３】
ここでは、レーザダイオード１ａは、青色成分の光と、赤色成分の光と、緑色成分の光とのうちの青色成分のレーザ光ＢＰを照射光として発生するものとして説明する。
【００１４】
しかしながら、緑色成分のレーザ光、赤色成分のレーザ光を発生するレーザダイオード（ＬＤ）を用いることもできる。また、レーザダイオード（ＬＤ）の代わりに、発光ダイオード（ＬＥＤ）を用いることもできる。
【００１５】
レーザダイオード１ａは、後述する蛍光体を励起する励起光源として用いられると共に後述するスクリーンへの投射光として用いられる色成分の照射光を発生する光源として機能する。
【００１６】
その光源部１から発せられた青色成分のレーザ光ＢＰが進行する光路には、光路切り替え盤３が設けられている。この光路切り替え盤３は、例えば、図１に示すように、駆動源としてのステッピングモータ４により回転駆動される。
【００１７】
この光路切り替え盤３は、図２に示すように、回転方向に分割された第１反射透過領域３ａと第２反射透過領域３ｂとを有する。符号ｒ１、ｒ２は第１反射透過領域３ａと第２反射透過領域３ｂとの境界領域を示し、符号ｒ１は光路切り替え盤３の回転方向Ｚ１の先方側の境界領域であり、符号ｒ２は回転方向Ｚ１の後方側の境界領域である。
【００１８】
この光路切り替え盤３は、集光レンズ１ｃの光軸に対して斜め（ここでは、その光軸に対して４５度）に配設されている。なお、符号４ａは、その光路切り替え盤３の回転軸を示す。
【００１９】
その光路切り替え盤３は、レーザ光ＢＰを励起光として蛍光体５に導く励起光路Ｘ２とレーザ光ＢＰを投射光として導く投射光路Ｘ１との間で光路を切り替える光路切り替え部材としての機能を有する。なお、この実施例１では、光路切り替え部材を回転駆動する構成として説明しているが、往復動させる構成でも良い。後述する蛍光体も同様である。
【００２０】
蛍光体５は、回転円盤により構成され、駆動源としてのステッピングモータ６により回転駆動される。符号６ａはその蛍光体５の回転軸を示す。蛍光体５の回転基盤には、反射基盤が用いられている。この反射基盤にはレーザ光ＢＰにより少なくとも２色の色成分を含む蛍光を発生する蛍光材料が塗布されている。
【００２１】
このように、蛍光体５を回転駆動する構成により、蛍光体５の同一箇所に長時間集中してレーザ光ＢＰが照射されるのが回避され、蛍光体５の蛍光材料の劣化が防止される。
【００２２】
ここでは、蛍光材料には、レーザ光ＢＰの色成分（青色成分Ｂ）とは異なる残りの赤色成分Ｒと緑色成分Ｇとを含む蛍光を発生する材料、例えば、黄色成分Ｙの蛍光を発生する材料が用いられている。
【００２３】
すなわち、蛍光材料には、波長λが５８０ｎｍ＜λ＜７５０ｎｍの波長領域（赤色成分Ｒ）の蛍光と、波長λが４５０ｎｍ＜λ＜６００ｎｍの波長領域（緑色成分Ｇ）の蛍光とを発生する材料（蛍光の波長分布が４５０ｎｍから７５０ｎｍの蛍光材料）が用いられている。
【００２４】
第１反射透過領域３ａは、照射光（レーザ光ＢＰ）を主として投射光路Ｘ１に導くための反射率と、残りの照射光（レーザ光ＢＰ）を励起光路Ｘ２に導くための透過率を有する。
【００２５】
第２反射透過領域３ｂは、照射光（レーザ光ＢＰ）を励起光路Ｘ２に主として導くための透過率と、残りの照射光（レーザー光ＢＰ）を投射光路Ｘ１に導くための反射率とを有する。
【００２６】
例えば、第１反射透過領域３ａは、９９％〜９７％程度の反射率と１％〜３％程度の透過率とを有する。第２反射透過領域３ｂは、９９％〜９７％程度の透過率と１％〜３％程度の反射率とを有する。
【００２７】
このように、第１反射透過領域３ａの反射率と第２反射透過領域３ｂの反射率、又は第１反射透過領域３ａの透過率と第２反射透過領域３ｂの透過率とは、互いに異ならされている。
【００２８】
その光路切り替え盤３には、図２に示すように、集光レンズ１ｃによりレーザ光ＢＰが略一点に集束されて集束スポットＢＳＰが形成される。集束スポットＢＳＰが境界領域ｒ１に位置しているときを光路切り替え盤３が回転角度θ＝０度（３６０度）の位置にあるものとして以後説明する。
【００２９】
集束スポットＢＳＰが、第１反射透過領域３ａに当たっているときには、収束スポットＢＳＰを形成するレーザ光ＢＰが主として投射光路Ｘ１に導かれ、残りの集束スポットＢＳＰを形成するレーザ光ＢＰが主として励起光路Ｘ２に導かれる。
【００３０】
投射光路Ｘ１には、第１拡散板１５、集光レンズ１６、ダイクロイックミラー１７、集光レンズ１８、ライトトンネル１９がこの順番に設けられている。ライトトンネル１９と集光レンズ１８との間には、色成分切り替え盤２０が設けられている。
【００３１】
第１拡散板１５は、レーザ光ＢＰのスペックルパターンを除去する役割を果たすと共に、レーザ光ＢＰの光量むらを低減することにより光量分布の均一性を高める役割を果たす。
【００３２】
第１拡散板１５を透過したレーザ光ＢＰは、集光レンズ１６により平行光束とされて、ダイクロイックミラー１７に導かれる。ダイクロイックミラー１７は、レーザ光ＢＰを透過し、赤色成分Ｒの蛍光と緑色成分Ｇの蛍光とを反射する機能を有する。
【００３３】
励起光路Ｘ２には、第２拡散板２１、集光レンズ２２、ダイクロイックミラー２３、集光レンズ２４が設けられている。第２拡散板２１は、光路切り替え盤３に関して第１拡散板１５と共役位置に設けられ、第１拡散板１５と同様の機能を有する。
【００３４】
第２拡散板２１を透過したレーザ光ＢＰは励起光として集光レンズ２２により平行光束とされて、ダイクロイックミラー２３に導かれる。ダイクロイックミラー２３は、レーザ光ＢＰを透過しかつ赤色成分Ｒの蛍光と緑色成分Ｇの蛍光とを反射する機能を有する。
【００３５】
そのダイクロイックミラー２３を透過した平行光束は、集光レンズ２４により蛍光体５に集束照射される。蛍光体５はその励起光としてのレーザ光ＢＰにより赤色成分Ｒの蛍光と緑色成分Ｇの蛍光とが混在する黄色成分Ｙの蛍光を発生する。
【００３６】
その黄色成分Ｙの蛍光は集光レンズ２４により集光され、平行光束とされてダイクロイックミラー２３に導かれ、このダイクロイックミラー２３により反射ミラー２５に向けて反射される。
【００３７】
その反射ミラー２５は、その黄色成分の蛍光をダイクロイックミラー１７に向けて反射し、反射ミラー２５は、ダイクロイックミラー２３と共に蛍光光路Ｘ３を構成し、ダイクロイックミラー１７、２３、反射ミラー２５は投射光路Ｘ１と蛍光光路Ｘ３とを合成する光路合成部として機能する。
【００３８】
ダイクロイックミラー１７を透過したレーザ光ＢＰ又はダイクロイックミラー１７により反射された黄色成分Ｙの蛍光は、集光レンズ１８により集光されて色成分切り替え盤２０に導かれる。
【００３９】
この色成分切り替え盤２０は、ステッピングモータ２１'により回転駆動される。なお、この色成分切り替え盤２０も光路切り替え盤３と同様に往復動させる構成とすることもできる。
【００４０】
色成分切り替え盤２０は、図３に示すように、レーザ光ＢＰと黄色成分Ｙの蛍光とを透過させる扇形状の透過領域２０Ｂと、赤色成分Ｒの蛍光と青色成分Ｂのレーザ光ＢＰとを透過させかつ緑色成分Ｇの蛍光の透過を阻止する扇形状の透過領域２０Ｒと、緑色成分Ｇの蛍光と青色成分Ｂのレーザ光ＢＰとを透過させかつ赤色成分Ｒの蛍光の透過を阻止する扇形状の透過領域２０Ｇと、黄色成分Ｙの蛍光と青色成分Ｂのレーザ光ＢＰを透過させる扇形状の透過領域２０Ｙとを有する。
【００４１】
透過領域２０Ｒは、例えば、波長４５０ｎｍ＜λ＜４９５ｎｍのレーザ光ＢＰ、波長５８０ｎｍ＜λ＜７５０ｎｍの蛍光を透過し、他の波長の光を反射するフィルタから構成される。透過領域２０Ｒの波長透過特性を変更することにより、赤色成分Ｒの光の色味を変更し、色再現範囲を調整できる。
【００４２】
透過領域２０Ｇは、例えば、波長４５０ｎｍ＜λ＜６００ｎｍの蛍光を透過し、他の波長の光を反射するフィルタから構成される。透過領域２０Ｇについても、波長透過特性を変更することにより、緑色成分Ｇの光の色味を変更し、色再現範囲を調整できる。
【００４３】
透過領域２０Ｂ、２０Ｙは、扇形状の透明体又は扇形状の切り欠きにより構成しても良い。また、透過領域２０Ｂを完全透明体ではなく、青色成分Ｂのレーザ光ＢＰのうち、特定波長のレーザ光ＢＰを透過させるフィルタにより構成とすることもできる。この構成によれば、青色成分Ｂのレーザ光ＢＰの色味を変更する構成とすることができる。黄色成分Ｙの蛍光についても同様にフィルタを用いて、黄色成分Ｙの色味を変更する構成とすることができる。
【００４４】
その図３において、符号ｒ３は透過領域２０Ｙと透過領域２０Ｂとの境界領域、符号ｒ４は透過領域２０Ｂと透過領域２０Ｒとの境界領域、符号ｒ５は透過領域２０Ｒと透過領域２０Ｇとの境界領域、符号ｒ６は透過領域２０Ｇと透過領域２０Ｙとの境界領域を示し、符号Ｚ２は色成分切り替え盤２０の回転方向を示し、符号ＢＳＰ'は集光レンズ１８により形成された集束スポットを示している。その集束スポットＢＳＰ'が境界領域ｒ３に位置しているときを色成分切り替え盤２０の回転角度θ＝０度（３６０度）の位置とする。
その色成分切り替え盤２０は、光路切り替え盤３と同期回転され、光路切り替え盤３の一回転中に一回転され、ライトトンネル１９に導かれる色成分の光を定期的に切り替える。
【００４５】
その色成分切り替え盤２０の各領域を透過した光は、図１に示すように色成分Ｂ、Ｒ、Ｇ、Ｙの投射光として、光量むら防止用部材としてのライトトンネル１９に導かれる。なお、ライトトンネル１９の代わりにフライアイレンズを用いても良い。
【００４６】
そのライトトンネル１９を通過した色成分Ｂ、Ｒ、Ｇ、Ｙの投射光は、集光レンズ２２’により平行光束とされて反射ミラー２３'に導かれ、この反射ミラー２３'により反射されて、画像形成パネル（ＤＭＤ）２４'に導かれる。その画像形成パネル２４'は公知の画像形成部ＧＥによって制御される。その画像形成パネル２４'により反射された色成分Ｂ、Ｒ、Ｇ、Ｙの投射光は、投影光学系２６により拡大されてスクリーンＳに投影される。
【００４７】
その画像形成パネル２４'は、励起光により励起されかつ照射光の色成分とは異なる色成分の蛍光が照射されてスクリーンＳへの投射光を形成すると共に照射光としてのレーザ光ＢＰが照射されてスクリーンＳへの投射光を形成してスクリーンＳに画像を形成する機能をする。この実施例１では、図４のタイミングチャートに示すように、光路切り替え盤３の一回転中に各色成分Ｂ、Ｒ、Ｇ、Ｙの投射光がスクリーンＳに投影される。
【００４８】
光路切り替え盤３の第１反射透過領域３ａに集束スポットＢＳＰが当たっているときには、収束スポットＢＳＰを形成するレーザ光ＢＰの反射光量が９７％（パーセント）程度であり、透過光量が３％（パーセント）程度であるので、境界領域ｒ１からｒ２までの回転角度θの範囲では、レーザ光ＢＰが主として投射光路Ｘ１に導かれ、残りのレーザ光ＢＰが励起光路Ｘ２に導かれる。
【００４９】
色成分切り替え盤２０の境界領域ｒ３は光路切り替え盤３の境界領域ｒ１に対応し、色成分切り替え盤２０の境界領域ｒ４は光路切り替え盤３の境界領域ｒ２に対応している。
図４（ａ）は、スクリーンＳへの色成分Ｂ、Ｒ、Ｇ、Ｙの投射光の投射期間中に、光路切り替え盤３において反射透過されるレーザ光ＢＰの割合を示している。
【００５０】
反射１はレーザ光ＢＰの反射光の割合が「１００％」であることを意味し、反射０はレーザ光ＢＰの反射光の割合が「０％」であることを意味している。
透過０はレーザ光ＢＰの透過光の割合が「０％」であることを意味し、透過１はレーザ光ＢＰの透過光の割合が「１００％」であることを意味している。
【００５１】
実線は投射光Ｂの投射期間では、９７％程度のレーザ光ＢＰが反射され（３％程度のレーザ光ＢＰが透過し）、色成分Ｒ，Ｇ，Ｙの投射光の投射期間では９７％程度のレーザ光ＢＰが透過して（３％程度のレーザ光ＢＰが反射されて）いることを示している。
【００５２】
図４（ｂ）は、スクリーンＳへの色成分Ｂ、Ｒ、Ｇ、Ｙの投射光の投射期間中に、色成分切り替え盤２０に導かれる蛍光の割合を示し、「１」はレーザ光ＢＰが全て蛍光体５に導かれたときに生成される蛍光の光量を意味し、「０」はレーザ光ＢＰが全て反射されたときに生成される蛍光の光量を意味する。
【００５３】
実線は色成分Ｂの投射光の投射期間では３％程度の蛍光が色成分切り替え盤２０に導かれていることを示し、色成分Ｒ、Ｇ、Ｙの投射光の投射期間中では９７％程度の蛍光が色成分切り替え盤２０に導かれていることを示している。
【００５４】
図４（ｃ）は、スクリーンＳへの色成分Ｂ、Ｒ、Ｇ、Ｙの投射光の投射期間中に、色成分切り替え盤２０に導かれるレーザ光ＢＰの光量の割合を示し、「１」はレーザ光ＢＰが光路切り替え盤３により全て反射されて色成分切り替え盤２０に導かれたときのレーザ光ＢＰの光量の割合を示し、「０」はレーザ光ＢＰが光路切り替え盤３を全て透過して蛍光体５に導かれたときのレーザ光ＢＰの光量の割合を示している。
【００５５】
実線は、色成分Ｂの投射光の投射期間では、９７％程度のレーザ光ＢＰが色成分切り替え盤２０に導かれていることを示し、色成分Ｒ、Ｇ、Ｙの投射光の投射期間中では３％程度のレーザ光ＢＰが色成分切り替え盤２０に導かれていることを示している。
なお、これらの説明では、蛍光の変換効率は「１」とし、光学系に配置された光学部材による光量の損失、蛍光の分離による光量損失等は無視して説明している。
【００５６】
光路切り替え盤３の境界領域ｒ１から境界領域ｒ２までの回転角度θの角度範囲に対応する色成分切り替え盤２０の境界領域ｒ３から境界領域ｒ４までの回転角度θの角度範囲では、９７％程度の光量のレーザ光ＢＰと３％程度の黄色成分Ｙの蛍光とが色成分切り替え盤２０の透過領域２０Ｂに導かれる。
【００５７】
従って、図４（ｄ）に示すように、青色成分Ｂの投射光の投射期間では、青色成分Ｂのレーザ光ＢＰと黄色成分Ｙの蛍光とが透過領域２０Ｂを通過する。その図４（ｄ）において、Ｙ・Ｂ透過１は、レーザ光ＢＰと黄色成分Ｙの蛍光とが透過していることを示す。
【００５８】
すなわち、光量の割合「０.０３」の黄色成分Ｙの蛍光と光量の割合「０.９７」の青色成分Ｂのレーザ光ＢＰが混色したシアンの光がライトトンネル１９に導かれる。
【００５９】
その結果、全体として光量の割合「１」のＹ・Ｂの色味を帯びた光が色成分切り替え盤２０を透過してスクリーンＳに投影される。全体として光量の割合「１」のＲ・Ｂの色味を帯びた光と、全体として光量の割合「１」のＧ・Ｂの色味を帯びた光とはスクリーンＳに投影されない。
【００６０】
光路切り替え盤３が境界領域ｒ２から境界領域ｒ１までの回転角度θの角度範囲にあるときには、第２反射透過領域３ｂに集束スポットＢＳＰが当たるので、収束スポットＢＳＰの全光量のうち、９７％程度の光量のレーザ光ＢＰが蛍光体５に励起光として導かれる。収束スポットＢＳＰの残りの３％程度の光量のレーザ光ＢＰは第２反射透過領域３ｂにより反射されて色成分切り替え盤２０に直接導かれる。
【００６１】
色成分切り替え盤２０の回転角度θが境界領域ｒ４から境界領域ｒ５の角度範囲にあるときには、９７％程度の光量の黄色成分Ｙの蛍光と３％程度の光量のレーザ光ＢＰとが透過領域２０Ｒに導かれる。
【００６２】
透過領域２０Ｒは赤色成分Ｒの光と青色成分Ｂの光とを透過するので、全体として光量の割合「１」のＲ・Ｂの色味を帯びた光が色成分切り替え盤２０を透過してスクリーンＳに投影され、全体として光量の割合「１」の「Ｙ・Ｂ」の色味を帯びた光と、「Ｇ・Ｂ」の色味を帯びた光はスクリーンＳに投影されない。
【００６３】
色成分切り替え盤２０の回転角度θが境界領域ｒ５から境界領域ｒ６の角度範囲にあるときには、９７％程度の光量の黄色成分Ｙの蛍光と３％程度の光量のレーザ光ＢＰとが透過領域２０Ｇに導かれる。
【００６４】
透過領域２０Ｇは、緑色成分Ｇの光と青色成分Ｂの光とを透過するので、全体として光量の割合「１」のＧ・Ｂの色味を帯びた光が色成分切り替え盤２０を透過してスクリーンＳに投影され、全体として光量の割合「１」の「Ｙ・Ｂ」の色味を帯びた光と、「Ｒ・Ｂ」の色味を帯びた光はスクリーンＳに投影されない。
【００６５】
色成分切り替え盤２０が、境界領域ｒ６から境界領域ｒ１までの範囲にあるときには、９７％程度の光量の黄色成分Ｙの蛍光と３％程度の光量のレーザ光ＢＰとが透過領域２０Ｙに導かれる。
【００６６】
透過領域２０Ｙは、黄色成分Ｙの光と青色成分Ｂの光とを透過するので、全体として光量の割合「１」のＹ・Ｂの色味を帯びた光が色成分切り替え盤２０を透過してスクリーンＳに投影され、全体として光量の割合「１」の「Ｒ・Ｂ」の色味を帯びた光と、「Ｇ・Ｂ」の色味を帯びた光はスクリーンＳに投影されない。
【００６７】
この実施例１によれば、光路切り替え盤３の第１反射透過領域３ａと第２反射透過領域３ｂとの反射・透過率を調整することにより、青色成分Ｂのレーザ光ＢＰの光量と黄色成分Ｙの光量との割合を調整できるため、色味を調整できる。
【００６８】
青色成分Ｂの視感度は低く、このままでは、ユーザが投影画像を見たときに暗く感じるが、この実施例１によれば、黄色成分Ｙの蛍光が混じり、白味が増加するので、視感度が向上する。すなわち、明るい光がスクリーンＳに投射される。
【００６９】
この実施例１では、レーザダイオード（ＬＤ）１ａを使用しているので、単波長の照射光を用いることができ、色味の調節、視感度の向上を図るうえで、設計の容易化を図ることができる。
【００７０】
レーザダイオード（ＬＤ）１ａの代わりに、発光ダイオード（ＬＥＤ）を用いる場合、所定のスペクトル幅の青色成分の照射光が用いられる。
なお、色成分切り替え盤２０の透過領域２０Ｂをダイクロイック膜を有する透明体から形成し、この透明体を透過する光の波長のうち特定波長域の光をカットすることによっても色味を調整することもできる。
しかしながら、この場合、光量損失が生じるので、スクリーンＳへの投射光の明るさが暗くなる。
【００７１】
この実施例１では、色成分切り替え盤２０の透過領域２０Ｂにおいて、青色成分Ｂのレーザ光ＢＰと黄色成分Ｙの蛍光とを混色させることにしたが、透過領域２０Ｂを青色成分Ｂの光と緑色成分Ｇの光とを透過させるダイクロイック膜を有する透明体（フィルタ）により構成し、青色成分Ｂの光と緑色成分Ｇの光とを混色させて、色味を調整することもできる。
また、青色成分Ｂの光と赤色成分Ｒの光とを混色させて、色味を調整することもできる。
【００７２】
（変形例）
図５に示すように、蛍光体５に黄色成分Ｙの扇形状の蛍光領域５Ｙと緑色成分Ｇの扇形状の蛍光領域５Ｇを形成し、緑色成分Ｇの投射光を得る期間には、扇形状の蛍光領域５Ｇにレーザ光ＢＰが照射されるようにする構成とすることもできる。
【００７３】
その図５において、符号ｒ５'、ｒ６'は蛍光領域５Ｙと蛍光領域５Ｇとの境界領域を示している。その蛍光領域５Ｙの境界領域ｒ６'から境界領域ｒ５'までの回転角度θの角度範囲は色成分切り替え盤２０の境界領域ｒ６から境界領域ｒ５までの回転角度θの角度範囲に対応され、蛍光体５は、光路切り替え盤３、色成分切り替え盤２０と同期回転される。
【００７４】
この場合には、色成分切り替え盤２０の透過領域２０Ｇには、緑色成分Ｇの蛍光のみが導かれるので、黄色成分Ｙの蛍光から緑色成分Ｇの蛍光を抽出する必要がなく、黄色成分Ｙの蛍光のみを利用する場合に較べて、蛍光の利用効率を高めることができる。
【００７５】
また、この場合、透過領域２０Ｇを緑色成分Ｇの蛍光の波長のうち特定波長域の蛍光をカットする構成とすることにより、色度の調整、例えば、長波長域の光をカットすることにより緑色成分Ｇの光の純度を向上させることができる。
【００７６】
なお、蛍光体５に黄色成分Ｙの蛍光領域５Ｙと赤色成分Ｒの蛍光領域（図示を略す）を形成し、赤色成分Ｒの投射光を得る期間には、赤色成分Ｒの蛍光領域（図示を略す）にレーザ光ＢＰが照射されるようにする構成とすることもできる。
【００７７】
この場合には、色成分切り替え盤２０の透過領域２０Ｒには、赤色成分Ｒの蛍光のみが導かれるので、この場合にも、蛍光の利用効率を高めることができる。同様に、透過領域２０Ｒを赤色成分Ｒの蛍光の波長のうち特定波長域の蛍光をカットする構成とすることにより、赤色成分Ｒの光の純度を向上させることができる。
【００７８】
（実施例２）
図６は、本発明の実施例２に係る光源装置を有するプロジェクタの光学系の要部構成を示す光学図である。
この実施例２では、光路切り替え盤３と色成分切り替え盤２０とが一体化されている。
【００７９】
光源部１は、実施例１と同様に、レーザダイオード（ＬＤ）１ａとカップリングレンズ１ｂと集光レンズ１ｃとから概略構成されている。そのレーザダイオード１ａからのレーザ光は、そのカップリングレンズ１ｂにより集光され、平行光束として集光レンズ１ｃに導かれる。
【００８０】
レーザダイオード１ａは、実施例１と同様に青色成分Ｂのレーザ光ＢＰを照射光として発生する。
レーザダイオード１ａは、蛍光体５を励起する励起光源として用いられると共にスクリーンＳへの投射光として用いられる色成分の照射光を発生する光源として機能する。蛍光体５には、実施例１と同様に、レーザ光ＢＰにより少なくとも２色の色成分を含む蛍光を発生する蛍光材料が形成されている。
【００８１】
この光路切り替え盤３（色成分切り替え盤２０）は、図７に示すように、回転方向に分割された第１反射透過領域３ａと第２反射透過領域３ｂとを有する。
第１反射透過領域３ａは、ここでは、９７％程度のレーザ光ＢＰを透過しかつ３％程度のレーザ光ＢＰを反射する透過率又は反射率を有する。
【００８２】
その第１反射透過領域３ａを透過したレーザ光ＢＰは集光レンズ１６により平行光束とされ、反射ミラー２５'、２５"により反射されてダイクロイックミラー１７に導かれ、集光レンズ１８により集光されてライトトンネル１９に導かれる。なお、この実施例２では、拡散板１５は、反射ミラー２５'と反射ミラー２５"との間に配置されている。ライトトンネル１９以降の光学系の構成は実施例１と同様である。
【００８３】
第２反射透過領域３ｂは、９７％程度のレーザ光ＢＰを反射しかつ３％程度のレーザ光ＢＰを透過する透過率又は反射率を有する。
この第２反射透過領域３ｂは、赤色成分Ｒの蛍光を透過する扇形状の反射透過領域３ｂＲと、緑色成分Ｇの蛍光を透過する扇形状の反射透過領域３ｂＧと、黄色成分Ｙの蛍光（赤色成分Ｒの蛍光と緑色成分Ｇの蛍光）を透過する扇形状の反射透過領域３ｂＹに三分割されている。
これにより、この実施例２では、光路切り替え盤３（色成分切り替え盤２０）は９０度毎に４個の反射透過領域に分割される。
【００８４】
その第２反射透過領域３ｂにレーザ光ＢＰが当たると、９７％程度の光量のレーザ光ＢＰが集光レンズ２２に向けて反射され、集光レンズ２２により平行光束とされる。この平行光束は、励起光路Ｘ２の拡散板２１を通って集光レンズ２４に導かれ、集光レンズ２４により集光されて蛍光体５に照射される。
【００８５】
この蛍光体５に照射されたレーザ光ＢＰにより黄色成分Ｙの蛍光が生成され、この蛍光は励起光路Ｘ２を再び通って、光路切り替え盤３の第２反射透過領域３ｂに導かれる。
【００８６】
扇形状の透過領域３ｂＲに黄色成分Ｙの蛍光が当たると、緑色成分Ｇの蛍光がカットされ、集光レンズ２４”に赤色成分Ｒの蛍光のみが導かれる。集光レンズ２４”は、その赤色成分Ｒの蛍光を集光して平行光束としてダイクロイックミラー１７に導く。ダイクロイックミラー１７は、赤色成分Ｒの蛍光と、緑色成分Ｇの蛍光とを透過し、青色成分Ｂのレーザ光ＢＰを反射する特性を有する。
【００８７】
扇形状の透過領域３ｂＧに黄色成分Ｙの蛍光が当たると、赤色成分Ｒの蛍光がカットされ、集光レンズ２４”に緑色成分Ｇの蛍光のみが導かれる。集光レンズ２４”は、その緑色成分Ｇの蛍光を集光して平行光束としてダイクロイックミラー１７に導く。
【００８８】
扇形状の透過領域３ｂＹに黄色成分Ｙの蛍光が当たると、赤色成分Ｒの蛍光と緑色成分Ｇの蛍光とが集光レンズ２４'に導かれる。集光レンズ２４'は、その緑色成分Ｇの蛍光と赤色成分Ｒの蛍光を集光して平行光束としてダイクロイックミラー１７に導く。
この実施例２では、光路切り替え盤３とダイクロイックミラー１７との間の光路が蛍光をライトトンネル１９に導く蛍光光路Ｘ３となっている。
【００８９】
その光路切り替え盤（色成分切り替え盤２０）３は、レーザ光ＢＰを励起光として蛍光体５に導く励起光路Ｘ２とレーザ光ＢＰを色成分Ｂの投射光として導く投射光路Ｘ１との間で光路を切り替える光路切り替え部材としての機能を有する他、蛍光体５により生じた蛍光をダイクロイックミラー１７に導く機能を有する。ダイクロイックミラー１７は、この実施例２では、蛍光光路Ｘ３と投射光路Ｘ１との光路を合成する光路合成部として機能する。
【００９０】
この実施例２では、光路切り替え盤３と色成分切り替え盤２０とが一体構成とされているので、回転盤の個数を削減でき、光源装置の構成の簡略化、コストの低減を図ることができる。
【００９１】
また、実施例１のように、光路切り替え盤３と色成分切り替え盤２０とが別々に形成されている場合には、これらを同期して回転制御する必要がある。しかしながら、この実施例２では、光路切り替え盤３と色成分切り替え盤２０とが一体に形成されているので、これらを同期制御する必要はなく、回転制御の簡単化を図ることができる。
【００９２】
例えば、図５に示すように、蛍光体５を黄色成分Ｙの蛍光を発生する蛍光領域５Ｙと緑色成分Ｇの蛍光を発生する蛍光領域５Ｇとに分けて形成した場合には、実施例１の場合、既述したように、光路切り替え盤３と、色成分切り替え盤２０と、蛍光体５の三者を同期して回転制御する必要があるが、この実施例２の場合には、蛍光体５と光路切り替え盤３（色成分切り替え盤２０）との二者のみを同期制御するのみで足りるので、回転制御の簡単化を図ることができる。
【００９３】
この実施例２の場合にも、青色成分Ｂのレーザ光ＢＰと蛍光との混色を行うことができるので、実施例１と同様に、色味の調節、明るい色の投射光、色度の調節を行うことができる。
【００９４】
なお、この実施例２ではレーザ光ＢＰを反射させて励起光路Ｘ２を形成しかつレーザ光ＢＰを透過させて投射光路Ｘ１を形成している。しかしながら、レーザ光ＢＰを反射させて投射光路Ｘ１を形成しかつレーザ光ＢＰを透過させて励起光路Ｘ２を形成する構成とすることもできる。
【００９５】
（実施例３）
この実施例３において、実施例１と同一構成要素については、実施例１と同一符号を付して説明することとする。なお、この実施例３では、色成分切り替え盤２０は設けられていない。
光源部１は、図８に示すように、レーザダイオード（ＬＤ）１ａとカップリングレンズ１ｂと集光レンズ１ｃとから概略構成されている。
【００９６】
そのレーザダイオード１ａからのレーザ光は、そのカップリングレンズ１ｂにより集光され、平行光束として集光レンズ１ｃに導かれる。
レーザダイオード１ａは、実施例１と同様に青色成分Ｂのレーザ光ＢＰを照射光として発生する。
【００９７】
レーザダイオード１ａは、実施例１と同様に、蛍光体５を励起する励起光源として用いられると共にスクリーンＳへの投射光として用いられる色成分の照射光を発生する光源として機能する。蛍光体５には、レーザ光ＢＰにより緑色成分Ｇの蛍光を発生する蛍光材料が塗布されている。
【００９８】
光路切り替え盤３は、図９に示すように、回転方向に分割された第１反射透過領域３ａと第２反射透過領域３ｂとを有する。第１反射透過領域３ａは、ここでは、９７％程度のレーザ光ＢＰを反射しかつ３％程度のレーザ光ＢＰを透過する透過率又は反射率を有する。なお、符号ｒ２から符号ｒ２'までの回転角度θの角度範囲は後述する照射光ＲＰの照射範囲となっている。
【００９９】
その第１反射透過領域３ａにより反射されたレーザ光ＢＰは集光レンズ１６により平行光束とされ、ダイクロイックミラー１７に導かれる。ダイクロイックミラー１７は、ここでは、青色成分Ｂのレーザ光ＢＰを透過し、緑色成分Ｇの蛍光を反射する特性を有する。
【０１００】
そのダイクロイックミラー１７を透過した青色成分Ｂのレーザ光ＢＰと緑色成分Ｇの蛍光とは、ダイクロイックミラー１７'に導かれる。このダイクロイックミラー１７'は、赤色成分Ｒの照射光ＲＰを反射し、青色成分Ｂのレーザ光ＢＰと緑色成分Ｇの蛍光とを透過する特性を有する。
【０１０１】
その赤色成分Ｒの照射光ＲＰは、ここでは、照射光源としてのＬＥＤ３０により生成される。そのＬＥＤ３０の照射光路Ｘ４には、集光レンズ３１が設けられている。この集光レンズ３１はＬＥＤ３０からの照射光ＲＰを集光して平行光束に変換する。この平行光束はダイクロイックミラー１７'に導かれる。
【０１０２】
そのダイクロイックミラー１７'により反射された照射光ＲＰと、そのダイクロイックミラー１７'を透過した青色成分Ｂのレーザ光ＢＰと緑色成分Ｇの蛍光とは、投射光として集光レンズ１８に導かれる。
【０１０３】
集光レンズ１８はこれらの色成分Ｒ、Ｇ、Ｂの投射光をライトトンネル１９に導く。ライトトンネル１９以降の光学系の構成は実施例１と同様である。
第２反射透過領域３ｂは、９７％程度のレーザ光ＢＰを透過し、３％程度のレーザ光ＢＰを反射する透過率又は反射率を有する。
【０１０４】
その第２反射透過領域３ｂにレーザ光ＢＰが当たると、９７％程度の光量のレーザ光ＢＰが集光レンズ２２に向けて透過され、集光レンズ２２により平行光束とされる。この平行光束は、拡散板２１を通って集光レンズ２４に導かれ、集光レンズ２４により集光されて蛍光体５に照射される。
【０１０５】
この蛍光体５に照射されたレーザ光ＢＰにより緑色成分Ｇの蛍光が生成される。
その緑色成分Ｇの蛍光は集光レンズ２４により集光され、平行光束とされてダイクロイックミラー２３に導かれ、このダイクロイックミラー２３により反射ミラー２５に向けて反射される。
【０１０６】
その反射ミラー２５は、その緑色成分Ｇの蛍光をダイクロイックミラー１７に向けて反射し、反射ミラー２５は、ダイクロイックミラー２３と共に蛍光光路Ｘ３を構成し、ダイクロイックミラー１７、２３、反射ミラー２５は投射光路Ｘ１と蛍光光路Ｘ３とを合成する光路合成部として機能する。
【０１０７】
実施例３では、図９に示すように、青色成分Ｂの投射光の投射開始から赤色成分Ｒの投射光の終了までの回転角度θの角度範囲が、第１反射透過領域３ａとなっている。
また、赤色成分Ｒの投射光の投射終了から青色成分Ｂの投射光までの投射開始までの回転角度θの角度範囲が、第２反射透過領域３ｂとなっている。
【０１０８】
この実施例３では、レーザダイオード（ＬＤ）１ａを、図１０に示すように、青色成分Ｂの投射光と緑色成分Ｇの投射光とを生成する期間にオンさせ、ＬＥＤ３０はこの期間にオフする。
一方、赤色成分Ｒの投射光を生成する期間にＬＥＤ３０をオンさせ、レーザダイオード（ＬＤ）１ａはこの期間にオフする。
【０１０９】
青色成分Ｂの投射光を生成する期間は、９７％程度の光量のレーザ光ＢＰが投射光路Ｘ１を通ってライトトンネル１９に導かれると共に、３％程度の緑色成分Ｇの蛍光が蛍光光路Ｘ３を通ってライトトンネル１９に導かれるので、これにより、青色成分Ｂの投射光に緑色成分Ｇの投射光が混色され、青色成分Ｂの色味の調節を行うことができる。
【０１１０】
緑色成分Ｇの投射光を生成する期間は、９７％程度の光量の緑色成分Ｇの蛍光がライトトンネル１９に導かれると共に、３％程度の青色成分Ｂの光がライトトンネル１９に導かれるので、これにより、緑色成分Ｇの色味の調節を行うことができる。
【０１１１】
この実施例３では、青色成分Ｂのレーザ光ＢＰを発生するレーザダイオード１ａと赤色成分Ｒの照射光ＲＰを発生するＬＥＤ（発光ダイオード）３０とを使用し、赤色成分Ｒの投射光を投射する期間中には、レーザダイオード１ａを消灯する構成としているので、レーザダイオード１ａの発熱量、発光時間を減少させることができる。その結果、レーザダイオード１ａの長寿命化、ひいては、プロジェクタの長寿命化を図ることができる。
【０１１２】
ここでは、赤色成分Ｒの投射光を生成する期間は、レーザダイオード１ａがオフされているので、色味の調節は行われない。
なお、その青色成分Ｂの投射光を生成する期間、緑色成分Ｇの投射光を生成する期間にＬＥＤ３０を点灯させ、このＬＥＤ３０の発光量を適宜調節することにより、色味の調節を図る構成としても良い。
【０１１３】
（変形例１）
変形例１では、図１１に示すように、青色成分Ｂの投射光の投射開始から赤色成分Ｒの投射光の投射開始までの回転角度θの角度範囲が、第１反射透過領域３ａとなっている。
また、緑色成分Ｇの投射光の投射開始から青色成分Ｂの投射光の投射開始までの回転角度θの角度範囲が第２反射透過領域３ｂとなっている。
【０１１４】
更に、赤色成分Ｒの投射光の投射開始から緑色成分Ｇの投射光の投射開始までの角度範囲が第３反射透過領域３ｃとなっている。この第３反射透過領域３ｃは、反射率及び透過率が３％程度である。すなわち、この変形例１では、光路切り替え盤３は第１反射透過領域３ａと第２反射透過領域３ｂに加えて、第１反射透過領域３ａの残りのレーザ光を透過させる透過率及び第２反射透過領域３ｂの残りのレーザ光を反射させる反射率を有する第３反射透過領域３ｃを有する。
なお、第３反射透過領域３ｃの反射率、透過率は、この変形例１に限られるものではなく、レーザ光ＢＰの一部を透過、反射させる構成であれば良い。
【０１１５】
レーザダイオード（ＬＤ）１ａは、図１２に示すように光路切り替え盤３の一回転中に点灯され続けている。
ＬＥＤ３０により赤色成分Ｒの投射光を生成する期間にＬＥＤ３０をオンさせ、青色成分Ｂの投射光と緑色成分Ｇの投射光とを生成する期間に、ＬＥＤ３０をオフする。
【０１１６】
この変形例１によれば、赤色成分Ｒの投射光を生成する期間にも、青色成分Ｂの投射光、緑色成分Ｇの投射光を混色させることができ、色味の調節を行うことができると共に、明るい画像を生成可能なプロジェクタを提供できる。
【０１１７】
（変形例２）
図１３に示すように、ライトトンネル１９の直前に色成分切り替え盤２０を設ける構成とすることもできる。この色成分切り替え盤２０によりレーザダイオード１ａからのレーザ光ＢＰの波長透過特性、ＬＥＤ３０の波長透過特性、緑色成分Ｇの蛍光の波長透過特性を調節することにより、色味を調整できる。
【０１１８】
また、蛍光体５の蛍光材料に実施例１と同様に二色の色成分を含む蛍光材料、例えば、黄色成分Ｙの蛍光を発生する材料を用いても良い。この場合、ダイクロイックミラー１７、２３には黄色成分Ｙの蛍光を反射し、青色成分Ｂのレーザ光ＢＰを透過させる構成のものを用い、ダイクロイックミラー１７'には黄色成分Ｙの蛍光と青色成分Ｂのレーザ光ＢＰとを透過する特性のものを用いれば良い。
更に、蛍光体５に黄色成分Ｙの蛍光を発生する蛍光領域と二色の色成分のうちの一方の色成分としての緑色成分Ｇの蛍光を発生する蛍光領域とを設ける構成とすることもできる。
【０１１９】
以上、実施例３においては、ＬＥＤ３０として、赤色成分Ｒの照射光ＲＰを発生するものを用いることにしたが、これに限るものではなく、例えば、ＬＥＤ３０に緑色成分Ｇの照射光を発生する光源を用い、蛍光体５に赤色成分Ｒの蛍光を発生する材料を用いても良い。
また、ＬＥＤ３０を用いる代わりにレーザダイオード（ＬＤ）を用いる構成としても良い。
【０１２０】
以上、実施例１ないし実施例３について説明したが、光路切り替え盤３の第１反射透過領域３ａを反射防止膜（ＡＲコート）を有しないガラス板により形成すれば、光路切り替え盤３を安価に製作できる。
【０１２１】
というのは、反射防止膜を有しないガラス板は、反射率が６％、透過率が９４％程度であるので、光路切り替え盤３に特殊な加工を施すことなく第１反射透過領域３ａを形成できるからである。
【０１２２】
（色再現範囲の具体例１）
実施例１に示すプロジェクタの光学系（図１参照）を用いて、色再現範囲の具体例１を以下に説明する。レーザ光ＢＰの波長λは４６５ｎｍとする。
【０１２３】
この図１に示す光学系の照明効率を、赤色成分Ｒ、緑色成分Ｇ、青色成分Ｂについては、それぞれ３２％とし、黄色成分Ｙについては、８０％とする。
ここで、照明効率とは、各色成分の光についての光源部１の照明光量を１００として、スクリーンＳ上における各色成分Ｒ、Ｇ、Ｂ、Ｙの光についての照明光量の比を言う。
【０１２４】
光路切り替え盤３の第１反射透過領域３ａの回転角度θの角度範囲は、既述の通り９０度、第２反射透過領域３ｂの回転角度θの角度範囲は２７０度である。
【０１２５】
色成分切り替え盤２０の透過領域２０Ｙ、２０Ｂ、２０Ｒ、２０Ｇの回転角度θの角度範囲は、既述の通りそれぞれ９０度である。
各色成分Ｒ、Ｇ、ＹについてスクリーンＳ上におけるスペクトルＳＰの強度分布を図１４（Ａ）、（Ｂ）、（Ｃ）に示す。
【０１２６】
この図１４（Ａ）、（Ｂ）、（Ｃ）に示すスペクトルＳＰの強度分布は、色成分切り替え盤２０の各透過領域２０Ｙ、２０Ｂ、２０Ｒ、２０Ｇにより抽出したときのスペクトルＳＰの強度分布でもある。
色成分切り替え盤２０の透過領域２０Ｂは色成分Ｂの光、色成分Ｙの光を透過する。同様に、透過領域２０Ｙも色成分Ｂの光、色成分Ｙの光を透過する。
【０１２７】
ここで、仮に、光路切り替え盤３の第１反射透過領域３ａの反射率を１００％とし、すなわち、第１反射透過領域３ａを反射領域のみから構成し、第２反射透過領域３ｂの透過率を１００％、すなわち、第２反射透過領域３ｂを透過領域のみから構成するものとする。
【０１２８】
すると、色再現範囲は、図１５に示すようなものとなる。この図１５は、国際標準化団体の国際電気標準会議で制定された標準規格と光路切り替え盤３の第１反射透過領域３ａの反射率を１００％かつ第２反射透過領域３ｂの透過率を１００％としたときの色度図である。
【０１２９】
この図１５において、破線は国際標準規格で制定されたｓＲＧＢの色域Ｃ１を示し、実線は第１反射透過領域３ａの反射率１００％かつ第２反射透過領域３ｂの透過率１００％のときの色域Ｃ２を示している。
【０１３０】
この図１５は混色による色味の調整を行わない場合を示しており、赤の色度から緑の色度に向かう色域Ｃ２の境界Ｃ２１がｓＲＧＢの色域Ｃ１の境界Ｃ１１とずれている。
【０１３１】
そこで、この具体例１のように、光路切り替え盤３の第１反射透過領域３ａの反射率Ｒ、透過率Ｔと、第２反射透過領域３ｂの反射率Ｒ、透過率Ｔとを変更することにより、色味を調整することとする。
【０１３２】
例えば、第１反射透過領域３ａの反射率Ｒを９５％、透過率Ｔを５％とし、第２反射透過領域３ｂの透過率Ｔを９５％、反射率Ｒを５％とする。
このようにすると、色再現範囲は図１６に示すようなものとなる。すなわち、色成分Ｂの光を第１反射透過領域３ａにおいて一部透過させ、第２反射透過領域３ｂにおいて一部反射させることにより、色成分Ｂの投射光に色成分Ｙの光が混色される。
【０１３３】
また、色成分Ｒ、Ｇ、Ｙの投射光には色成分Ｂの光が混色される。従って、国際標準規格ｓＲＧＢの色域Ｃ１に具体例１の色域Ｃ２を図１６に示すように近づけることができる。
【０１３４】
その図１６には、色域Ｃ２の境界Ｃ２１と色域Ｃ１の境界Ｃ１１とがほぼ一致している状態が示されている。
なお、この具体例１では、第１反射透過領域３ａの反射率Ｒを９５％、透過率Ｔを５％とし、第２反射透過領域３ｂの透過率Ｔを９５％、反射率Ｒを５％としている。
すなわち、この具体例１では、第１反射透過領域３ａの透過率Ｔと第２反射透過領域３ｂの反射率Ｒとが共に５％であるが、これに限定されるものではなく、色味の調節は第１反射透過領域３ａの透過率Ｔ、第２反射透過領域３ｂの反射率Ｒを０％よりも大きく設定すれば可能である。
また、第２反射透過領域３ｂの反射率Ｒを、０％＜Ｒ＜５％とし、第１反射透過領域３ａの透過率Ｔを０％とすることもできる。これにより、青色成分Ｂの投射光の色味の調節は行わず、色成分Ｒ、Ｇ、Ｙの投射光（照明光）に色成分Ｂの投射光を混色させ、色味を調整することができる。
【０１３５】
（具体例１に対する比較例）
図１７は図１６に示す具体例１の色再現範囲に対する比較例である。この図１７は、第１反射透過領域３ａの反射率Ｒを９０％、透過率Ｔを１０％とし、第２反射透過領域３ｂの透過率Ｔを９０％とし、反射率Ｒを１０％としたときの色再現範囲を説明するための色度図を示している。
【０１３６】
この図１７から明らかなように、第１反射透過領域３ａの透過率Ｔ、第２反射透過領域３ｂの反射率Ｒを大きくしすぎると、ｓＲＧＢの色域Ｃ１に対して比較例の色域Ｃ２が狭くなっている。
従って、色再現範囲を国際標準規格に近づけるには、第１反射透過領域３ａの透過率Ｔを０％＜Ｔ≦５％とし。かつ、第２反射透過領域３ｂの反射率Ｒを０％＜Ｒ≦５％とするのが望ましい。
【０１３７】
図１８は、光路切り替え盤３の第１反射透過領域３ａの反射率Ｒを１００％（すなわち、第１反射透過領域３ａを反射領域のみから構成）し、第２反射透過領域３ｂの透過率Ｔを１００％（すなわち、第２反射透過領域３ｂを透過領域のみから構成）したときの視感度ｌｍ/Ｗと、光路切り替え盤３の第１反射透過領域３ａの透過率Ｔを５％とし、第２反射透過領域３ｂの反射率Ｒを５％としたときの視感度ｌｍ/Ｗとを比較して示す図表である。
【０１３８】
ここで、ｌｍはルーメン（光束）、Ｗは放射束（単位時間当たりに放出するエネルギー）であり、ルーメンｌｍは、ｌｍ＝６８３×Ｗ×Ｙ刺激値により求められる。
【０１３９】
この具体例１によれば、混色を生じさせることにより色味を調整できると共に、青色成分Ｂでは視感度が向上する。
この図１６に示す例では、青色成分Ｂの視感度ｌｍ/Ｗはｌｍ/Ｗ＝９６であり、図１５に示す例では視感度は５０であるので、視感度ｌｍ/Ｗは９６/５０＝１.２倍向上している。
【０１４０】
（色再現範囲の具体例２）
具体例１では、青色成分Ｂの光を発生するレーザダイオード１ａのレーザ光ＢＰの波長λとして４６５ｎｍのものを用いた。しかしながら、レーザダイオード１ａのレーザ光ＢＰの波長λは４４０ｎｍから４７０ｎｍの波長域にあっても良い。
【０１４１】
レーザダイオード１ａの波長λを適切に選択することにより、青色成分Ｂの光を他の色成分Ｒ、Ｇ、Ｙの照明光に混色させたときに、色域Ｃ２を色域Ｃ１により一層近づけることができる。
以下、これについて図１に示す光学系を用いてその理由を説明する。
【０１４２】
この図１に示す光学系の照明効率は、既述の通り、赤色成分Ｒ、緑色成分Ｇ、青色成分Ｂの光については、それぞれ３２％とし、黄色成分Ｙの光については、８０％とする。
【０１４３】
また、図２に示すように、光路切り替え盤３の第１反射透過領域３ａの角度範囲は９０度、第２反射透過領域３ｂの角度範囲は２７０度、色成分切り替え盤２０の各透過領域２０Ｂ、２０Ｒ、２０Ｇ、２０Ｙの角度範囲は、図３に示すようにそれぞれ９０度とする。
【０１４４】
更に、スクリーンＳ上での各色成分Ｒ、Ｇ、ＹのスペクトルＳＰの強度分布は図１４（Ａ）、（Ｂ）、（Ｃ）に示す通りのものとし、光路切り替え盤３の第２反射透過領域３ｂの透過率Ｔを１００％とする。
【０１４５】
この具体例２では、青色成分Ｂの照明光に緑色成分Ｇの照明光を混色させる場合について説明する。
すなわち、青色成分Ｂの照明光をスクリーンＳに投射する際に、青色成分Ｂの光の一部を第１反射透過領域３ａを透過させて蛍光体５に導き、かつ、この蛍光体５において発生した黄色成分Ｙの蛍光を色成分切り替え盤２０に導く構成とする。
【０１４６】
これと共に、色成分切り替え盤２０の透過領域２０Ｂの透過特性を青色成分Ｂの照明光と図１４（Ｂ）に示すスペクトルＳＰの強度分布の緑色成分Ｇの照明光とを透過させる光学特性として、青色成分Ｂの照明光と緑色成分Ｇの照明光とを混色させる。
【０１４７】
光路切り替え盤３の第１反射透過領域３ａの反射率Ｒを１００％、レーザダイオード１ａのレーザ光ＢＰの波長λを３８０ｎｍとした場合の色再現範囲は図１９に示す通りである。レーザ光ＢＰの波長λを３８０ｎｍとした場合、図１９に示すように、色域Ｃ２は色域Ｃ１に対して青から紫近傍においてのずれが大きい。
【０１４８】
ここで、青色成分Ｂの照明光に緑色成分Ｇの照明光を混色させると、青色成分Ｂの色域Ｃ２の色度は矢印方向に変化する。これにより、レーザ光ＢＰの波長λに３８０ｎｍのものを用いた場合でも、青色側の色域Ｃ２の境界Ｃ２２を色域Ｃ１の境界Ｃ１２に近づけることができる。
【０１４９】
ここで、例えば、光路切り替え盤３の第１反射透過領域３ａの反射率Ｒを９９.９％とし、透過率Ｔを０.１％とすると、図２０に示すように、色域Ｃ２の青側の境界Ｃ２２は色域Ｃ１の青側の境界Ｃ１２に近づくこととなる。
【０１５０】
次に、レーザダイオード１ａのレーザ光ＢＰの波長λを４４０ｎｍとし、光路切り替え盤３の第１反射透過領域３ａの反射率Ｒを９０％、透過率Ｔを１０％とすると、色再現範囲は図２１に示すものとなる。
【０１５１】
レーザ光ＢＰの波長λを４４０ｎｍとすることにより、光路切り替え盤３において混色を行わなかったときの青色成分Ｂの純色度と緑色成分Ｇの純色度とを結んだ線分がｓＲＧＢの色域Ｃ１に近づくので、混色を行わせることにより、青色側において、色域Ｃ２をｓＲＧＢの色域Ｃ１に近づけることができる。
【０１５２】
すなわち、実際の色度をｓＲＧＢの色度に近づけることができる。この図２１では、色域Ｃ２の青の純色度は、色域Ｃ１の青の純色度の右側近傍に存在する。
【０１５３】
これに対して、レーザ光ＢＰの波長λを４７０ｎｍ、光路切り替え盤３の第１反射透過領域３ａの反射率Ｒを９７％、透過率Ｔを３％とすると、色再現範囲は図２２に示すものとなる。この図２２では、色域Ｃ２の青の純色度は色域Ｃ１の青の純色度の左側に存在する。
なお、純色度とは、混色が生じていない場合の色度をいう。
【０１５４】
従って、レーザ光ＢＰの波長λが、４４０ｎｍ＜λ＜４７０ｎｍであれば、青色成分Ｂの照明光に緑色成分Ｇの照明光を混色させる際に、青色側で国際標準規格に近づけることができる。
【０１５５】
次に、レーザ光ＢＰの波長λに対する色再現範囲の変化について説明する。
レーザ光ＢＰの波長λを３８０ｎｍとし、光路切り替え盤３の第１反射透過領域３ａの反射率Ｒを９９.８％、透過率Ｔを０.２％にしたとき、色再現範囲は図２０から図２３に示すように変化する。
これにより、反射率が０.１％変化することによって、青色成分Ｂの色度が大きく変化することが理解できる。
【０１５６】
これに対して、レーザ光ＢＰの波長λを４４０ｎｍとし、光路切り替え盤３の第１反射透過領域３ａの反射率Ｒを９１％、透過率Ｔを９％としたときの色再現範囲は図２１から図２４に示すように変化する。
【０１５７】
この図２１と図２４との比較から明らかなように、レーザ光ＢＰの波長λを４４０ｎｍとした場合、光路切り替え盤３の第１反射透過領域３ａの反射率Ｒを１％変化させたとしても、青色成分Ｂの色度はほとんど変化しないことが理解される。
【０１５８】
ついで、レーザ光ＢＰの波長λを４７０ｎｍとし、光路切り替え盤３の第１反射透過領域３ａの反射率Ｒを９８％、透過率Ｔを２％にしたときの色再現範囲は図２２から図２５に示すように変化する。
【０１５９】
この図２２と図２５との比較から明らかなように、この場合にも、レーザ光ＢＰの波長λを４７０ｎｍとしたとき、光路切り替え盤３の第１反射透過領域３ａの反射率Ｒを１％変化させたとしても、青色成分Ｂの色度はほとんど変化しないことが理解される。
【０１６０】
すなわち、レーザ光ＢＰの波長λを４４０ｎｍ＜λ＜４７０ｎｍに設定することによって、色再現範囲を国際標準規格に近づけて色味の調整を行うことができると共に、光路切り替え盤３の反射透過領域３ａの反射率Ｒ、透過率Ｔの変化に対する色度の変化が小さいため（反射率Ｒ、透過率Ｔの変化に対する色度変化の感度が低いため）、反射率Ｒ、透過率Ｔの公差を緩やかに決めていたとしても、色度のばらつきを抑制することができる。
【０１６１】
この具体例２では、青色成分Ｂに緑色成分Ｇを混色させることとして説明したが、青色成分Ｇに他の色成分を混色させる構成としても良い。
この場合も、純粋な青色成分Ｂの色度と、蛍光成分としての黄色成分Ｙのうち色成分切り替え盤２０により抽出した色成分の色度とを結んだ直線上で青色成分Ｂの色度を調整できる。
【０１６２】
（具体例３）
この具体例３では、青色成分のみ混色を生じさせて視感度を向上させ、図１８に示すように視感度（ｌｍ/Ｗ）が低下する赤色成分Ｒ、緑色成分Ｇ、黄色成分Ｙについては、混色を生じさせないこととして説明する。
【０１６３】
この具体例３に用いる光学系の一例を図２５Ａを参照しつつ説明する。
この図２５Ａに示す光学系において、図１に示す光学要素と同一光学要素については、図１に示す光学要素と同一符号を付してその詳細な説明は適宜省略して説明することとする。
この具体例３では、実施例１と同様に、光路切り替え盤３は、第１反射透過領域３ａと第２反射透過領域３ｂとを有する。
【０１６４】
その第１反射透過領域３ａは、例えばその反射率Ｒが５％、透過率Ｔが９５％の透明体から構成し、その第２反射透過領域３ｂは反射率Ｒがほぼ１００％の透過率防止手段（例えば、金属板）により構成されている。
【０１６５】
その第１反射透過領域３ａの回転角度θの角度範囲は９０度、その第２反射透過領域３ｂの回転角度範囲は２７０度である。集光レンズ２２と集光レンズ２４との間には、青色成分Ｂのレーザ光ＢＰを透過し、緑色成分Ｇの蛍光と赤色成分Ｒの蛍光とを反射する光学特性を有するダイクロイックミラー２３が配置されている。
【０１６６】
ダイクロイックミラー１７’は、集光レンズ１６により平行光束とされたレーザ光ＢＰを反射し、全反射ミラー２５により反射された赤色成分Ｒの蛍光と緑色成分Ｇの蛍光とを透過させる光学特性を有し、光路合成部として機能する。
【０１６７】
なお、全反射ミラー２５はダイクロイックミラー２３とダイクロイックミラー１７’との間の光路に配置されている。また、色成分切り替え盤２０には、実施例１と同様に、図３に示す構成のものが用いられている。
【０１６８】
この図２５Ａに示す光学系のレーザ光ＢＰの波長λは４６５ｎｍとする。赤色成分Ｒ、緑色成分Ｇ、黄色成分ＹのスペクトルＳＰは図１４に示す通りのものであるとする。
この図２５Ａに示す光学系の照明効率を、赤色成分Ｒ、緑色成分Ｇ、青色成分Ｂの光については、それぞれ３２％とし、黄色成分Ｙの光については、８０％とする。
【０１６９】
この具体例３によれば、第２反射透過領域３ｂでは、光源１からの青色成分Ｂの光が透過して光路Ｘ１に導かれない構成であるので、赤色成分Ｒ、緑色成分Ｇ、黄色成分Ｙの照明光に青色成分Ｂの混色を防止することにより、これらの色成分の視感度の低下を図ることができる。
【０１７０】
なお、赤色成分Ｒの照明光、緑色成分Ｇの照明光、黄色成分Ｙの照明光Ｙの照明効率を向上させるために、第２反射透過領域３ｂに増反射コートを施す構成としても良い。
【０１７１】
この具体例３では、第２反射透過領域３ｂを金属盤により構成しているが、光路切り替え盤３を透過部材としてのガラス盤により構成してそのガラス盤のレーザダイオード１ａに近い側の表面に誘電体多層膜を形成しかつ裏面を黒色塗料により黒塗りとする構成とすることもできる。
【０１７２】
この具体例３によれば、青色成分Ｂの照明光に黄色成分Ｙの光を混色させることにより青色成分Ｂの照明光の視感度ｌｍ/Ｗを向上させ、赤色成分Ｒの照明光、緑色成分Ｇの照明光、黄色成分Ｙの照明光については混色が防止されるので、これらの色成分Ｒ、Ｇ、Ｙの視感度ｌｍ/Ｗの低下を防止できる。
【０１７３】
（具体例４）
この具体例４では、図１３に示す光学系を用いる。この図１３に示す光学系の照明効率を、赤色成分Ｒ、緑色成分Ｇ、青色成分Ｂの光については、それぞれ３２％とし、黄色成分Ｙの光については、８０％とする。
【０１７４】
光路切り替え盤３の第１透過反射領域３ａの角度範囲は９０度、第２反射透過領域３ｂの角度範囲は２７０度とする。
色成分切り替え盤２０の透過領域２０Ｂ、２０Ｒ、２０Ｇ、２０Ｙの角度範囲はそれぞれ９０度とする（図３参照）。
【０１７５】
この具体例４では、光源３０に赤色光を発生するＬＥＤを用いる。この光源３０のスペクトルＳＰの強度分布は例えば、図２６に示すように波長λは６８０ｎｍ付近にピークを有するものとする。
【０１７６】
赤色成分Ｒの照明光を照射する期間には、レーザダイオード１ａは消灯する。
このような構成とすると、光源３０からの赤色成分Ｒの光には他の色成分Ｂ、Ｇ、Ｙの光が混色しないので、図２７に示すように広い色再現範囲を確保することができる。
【０１７７】
この具体例４では、赤色成分Ｒの照明光を照射する期間に、レーザダイオード１ａを消灯する構成としているが、図３に示す色成分切り替え盤２０の透過領域２０Ｒの分光特性を調整することにより、緑色成分Ｇの光、青色成分Ｂの光を透過させると共に、光路切り替え盤３と色成分切り替え盤２０とを同期制御することにより黄色成分Ｙの光を混色させるか又は青色成分Ｂの光を混色させて、赤色成分Ｒの光の色味の調整を図ることもできる。
【０１７８】
また、この具体例４では、光源３０として赤色成分Ｒの光を発生することとして説明したが、光源３０として緑色成分Ｇの光を発生するものを用いても良い。
【符号の説明】
【０１７９】
１ａ…レーザダイオード（励起光源）
３…光路切り替え盤（光路切り替え部材）
３ａ…第１反射透過領域
３ｂ…第２反射透過領域
５…蛍光体
Ｘ１…投射光路
Ｘ２…励起光路
Ｘ３…蛍光光路
【先行技術文献】
【特許文献】
【０１８０】
【特許文献１】特開２０１３−１０１３１７号公報
【図１】
2015111244.tif 000003
【図２】
2015111244.tif 000004
【図３】
2015111244.tif 000005
【図４】
2015111244.tif 000006
【図５】
2015111244.tif 000007
【図６】
2015111244.tif 000008
【図７】
2015111244.tif 000009
【図８】
2015111244.tif 000010
【図９】
2015111244.tif 000011
【図１０】
2015111244.tif 000012
【図１１】
2015111244.tif 000013
【図１２】
2015111244.tif 000014
【図１３】
2015111244.tif 000015
【図１４】
2015111244.tif 000016
【図１５】
2015111244.tif 000017
【図１６】
2015111244.tif 000018
【図１７】
2015111244.tif 000019
【図１８】
2015111244.tif 000020
【図１９】
2015111244.tif 000021
【図２０】
2015111244.tif 000022
【図２１】
2015111244.tif 000023
【図２２】
2015111244.tif 000024
【図２３】
2015111244.tif 000025
【図２４】
2015111244.tif 000026
【図２５】
2015111244.tif 000027
【図２５Ａ】
2015111244.tif 000028
【図２６】
2015111244.tif 000029
【図２７】
2015111244.tif 000030